(57)【要約】【課題】本発明は、番組をディスク上の記録媒体に記録しながら、同時に記録済の映像情報を再生することを目的としており、そのため記録と再生が交互に繰り返された場合に、記録時の回転制御を安定に行うことを目的としている。【解決手段】記録媒体に対しては、記録再生手段を利用して記録と再生を交互に行うことによって、特定の記録媒体への入力信号の記録と、同じ媒体からの記録信号の出力を同時に行う。また、記録時は記録制御方式に従った、回転制御を行い、再生時は記録から再生に切り換わる時の回転速度を保持することで、記録時の回転制御を安定させる。【選択図】図１
2006331636.tif 000002
【特許請求の範囲】
【請求項１】
ディスク状記録媒体に、ディジタル化された映像信号もしくは音声信号の記録および再生を行う記録再生装置であって、
ディジタル化された映像信号または音声信号を連続的に入力する入力手段と、
記録再生を間欠的に切り換える切換信号を生成する手段と、
前記入力手段に入力された、前記映像信号または音声信号を時間軸圧縮する手段と
前記圧縮手段出力より記録信号を生成する記録信号生成手段と、
前記切換信号の記録指示期間、前記ディスク状記録媒体に記録信号を書き込むデータ記録手段と、
記録用回転制御手段と再生用回転速度保持手段を具備し、前記ディスク状記録媒体を回転制御させる回転制御手段と、
前記切換信号の再生指示期間、前記ディスク状記録媒体から信号を検出するデータ検出手段と、
前記記録信号生成手段の記録信号生成処理に従って再生処理を行う再生信号処理手段と、
前記切換信号の再生指示期間前記データ検出手段より入力された、検出データを入力とし、時間軸伸長を行う手段と、
前記時間軸伸長手段から、伸長された検出データを連続的に出力する手段とを具備してなるディジタル映像信号または音声信号の記録再生装置。
【請求項２】
ディスク状記録媒体に、ディジタル化された映像信号もしくは音声信号の記録および再生を行う記録再生装置であって、
ディジタル化された映像信号または音声信号を連続的に入力する入力手段と、
記録再生を間欠的に切り換える切換信号を生成する手段と、
前記映像信号または音声信号を一時的に蓄える記憶手段と、前記入力手段に入力された、前記映像信号または音声信号を前記記憶手段に連続的に書き込むデータ書き込み手段１と、
前記切換信号の記録指示期間、前記一時記憶手段よりデータを読み取るデータ読み取り手段１とを具備し時間軸圧縮する手段と
前記圧縮手段出力より記録信号を生成する記録信号生成手段と、
前記切換信号の記録指示期間、前記ディスク状記録媒体に記録信号を書き込むデータ記録手段と、
前記ディスク状記録媒体を回転制御させる回転制御手段と、
前記切換信号の再生指示期間、前記ディスク状記録媒体から信号を検出するデータ検出手段と、
前記記録信号生成手段の記録信号生成処理に従って再生処理を行う再生信号処理手段と、
前記切換信号の再生指示期間前記データ検出手段より入力された、検出データを入力とし、前記記憶手段へデータを書き込むデータ書き込み手段２と、前記記憶手段から、連続的にデータを読み出すデータ読み取り手段２とを具備し、時間軸伸長を行う手段と、
前記時間軸伸長手段から、伸長された検出データを連続的に出力する手段とを具備してなるディジタル映像信号または音声信号の記録再生装置。
【請求項３】
前記記録用回転制御手段は、
回転速度検出手段と、
目標設定手段と、
比較手段を具備した請求項１記載のディジタル映像信号または音声信号の記録再生装置。
【請求項４】
前記記録用回転制御手段は、
線速度検出手段と、
目標設定手段と、
比較手段を具備した請求項１記載のディジタル映像信号または音声信号の記録再生装置。
【請求項５】
前記記録再生を間欠的に切り換える切換信号を生成する手段は、
一定周期ｔ（ｔ；実数）を記録期間ｔｒ（ｔｒ；実数）と再生期間ｔｐ（ｔｐ＝ｔ−ｔｒ）に分割し、
ｔｒ期間は記録用回転制御手段により回転制御を行い、
ｔｐ期間は再生用回転速度保持手段によりｔｒ期間最後の回転速度を保持しつづける事を特徴とする請求項１記載のディジタル映像信号または音声信号の記録再生装置。
【請求項６】
前記ディスク状記録媒体を回転させる回転制御手段は、
記録用回転制御手段と、
再生用回転速度保持手段を具備してなり、
前記記録再生を間欠的に切り換える切換信号を生成する手段は、
一定周期ｔ（ｔ；実数）を記録期間ｔｒ（ｔｒ；実数）と再生期間ｔｐ（ｔｐ＝ｔ−ｔｒ）に分割し、
時間ｔで前記入力手段１に入力される映像もしくは音声データの量と等しい量のデータを前記記録手段で媒体に有効に書き込む時間をｔｒとしたことを特徴とする請求項１記載のディジタル映像信号または音声信号の記録再生装置。
【請求項７】
記録、再生、記録再生同時実行のモードを切り換えるモード切換手段をもち、
前記記録再生を間欠的に切り換える切換信号を生成する手段は、
一定周期ｔ（ｔ；実数）を記録期間ｔｒ（ｔｒ；実数）と再生期間ｔｐ（ｔｐ＝ｔ−ｔｒ）に分割し、
記録モードでは、ｔｒ期間、前記媒体へのデータ書き込みを行い、ｔｐ期間は媒体に対するデータ書き込み及び読み出しの処理を休止し、
再生モードでは、ｔｐ期間、前記媒体からのデータ読み出しを行い、ｔｐ期間は媒体に対するデータ書き込み及び読み出しの処理を休止し、
記録再生実行モードでは、ｔｒ期間、前記媒体へのデータ書き込みを行い、ｔｐ期間、前記媒体からのデータ読み出しを行うことを特徴とする請求項１記載のディジタル映像信号または音声信号の記録再生装置。
【請求項８】
前記ディスク状記録媒体のらせん状もしくは同心円状のトラックを半径位置に従って複数のゾーンに分割し、ゾーン内は内周から外周に向かって記録再生を行い、ゾーン間は外周から内周に向かって順に記録再生を行う請求項１記載のディジタル映像信号または音声信号の記録再生装置。
【請求項９】
前記データ記録手段は一定の伝送レートで前記ディスク状記録媒体に信号を書き込むことを特徴とする請求項１記載のディジタル映像信号または音声信号の記録再生装置。
【請求項１０】
ディスク状記録媒体に、ディジタル化された映像信号もしくは音声信号の記録および再生を行う記録再生方法であって、
ディジタル化された映像信号または音声信号を連続的に入力する処理と、
記録再生を間欠的に切り換える切換信号を生成する処理と、
連続的に入力された、前記映像信号または音声信号を時間軸圧縮する処理と、
前記切換信号に従って記録期間、前記ディスク状記録媒体に時間軸圧縮済の信号を前記ディスク状記録媒体に記録する処理と、
前記切換信号に従って記録指示期間は、記録回転制御を行い、前記切換信号に従って再生指示期間は、記録期間の回転速度を保持し、前記ディスク状記録媒体を回転制御させる処理と、
前記切換信号に従って再生期間、前記ディスク状記録媒体から信号を検出する処理と、
前記切換信号に従って再生期間、検出されたデータを時間軸伸長する処理と、
前記時間軸伸長された信号を、映像信号または音声信号として連続的出力する処理とを具備してなるディジタル映像信号または音声信号の記録再生方法。
【請求項１１】
保持される回転速度は記録期間の最後に信号が書き込まれた時の回転速度であることを特徴とする請求項１０記載のディジタル映像信号または音声信号の記録再生方法。
【請求項１２】
前記媒体への記録処理は、一定の伝送レートで記録することを特徴とする請求項１０記載のディジタル映像信号または音声信号の記録再生方法。
【請求項１３】
記録再生を間欠的に切り換える切換信号を生成する処理は、
一定周期ｔ（ｔ；実数）を記録期間ｔｒ（ｔｒ；実数）と再生期間ｔｐ（ｔｐ＝ｔ−ｔｒ）に分割し、
一定周期ｔで始まる記録開始タイミングから、一定の伝送レートで記録媒体に記録開始し、ｔ間に入力されるデータ量を記録するまでをｔｒとしたことを特徴とする請求項１０記載のディジタル映像信号または音声信号の記録再生方法。
【請求項１４】
前記ディスク状記録媒体は、らせん状もしくは同心円状のトラックを持ち、該トラックを半径位置に従って複数のゾーンに分割し、
前記記録処理及び再生処理は、
ゾーン内は内周から外周に向かって記録再生を行い、
ゾーン間は外周から内周に向かって順に記録再生を行う請求項１０記載のディジタル映像信号または音声信号の記録再生方法。
【請求項１５】
前記ディスク状記録媒体は、らせん状もしくは同心円状のトラックを持ち、該トラックを半径位置に従って複数のゾーンに分割し、
前記ディジタル化された映像信号及び音声信号は、複数の論理ブロックに分割され、
前記論理ブロックは、ユーザーの設定する再生条件を論理ブロックの単位で再生の順序を不連続とすることで実現する単位であり、
前記記録処理及び再生処理は、
前記論理ブロックを複数の前記ゾーンに分割せずに記録し、
ゾーン内は内周から外周に向かって記録再生を行い、
ゾーン間は外周から内周に向かって順に記録再生を行うことを特徴とする請求項１０記載のディジタル映像信号または音声信号の記録再生方法。
【請求項１６】
記録再生を間欠的に切り換える切換信号を生成する処理は、
一定周期ｔ（ｔ；実数）を記録期間ｔｒ（ｔｒ；実数）と再生期間ｔｐ（ｔｐ＝ｔ−ｔｒ）に分割し、
一定周期ｔで始まる記録開始タイミングから、一定の伝送レートで記録媒体に記録開始し、ｔ間に入力されるデータ量を記録するまでをｔｒとし、
前記記録媒体の欠陥及び衝撃等の外的要因による記録処理期間ｔｒの増大により、ｔｐ期間での前記ディスク状記録媒体よりのデータ再生量が、t期間連続出力する映像信号及び音声信号の容量に達しなかった場合、再生映像が保持されるよう再生データを処理することを特徴とする、請求項１０記載のディジタル映像信号または音声信号の記録再生方法。
【請求項１７】
記録再生を間欠的に切り換える切換信号を生成する処理は、
一定周期ｔ（ｔ；実数）を記録期間ｔｒ（ｔｒ；実数）と再生期間ｔｐ（ｔｐ＝ｔ−ｔｒ）に分割し、
一定周期ｔで始まる記録開始タイミングから、一定の伝送レートで記録媒体に記録開始し、ｔ間に入力されるデータ量を記録するまでをｔｒとし、
前記記録媒体の欠陥及び衝撃等の外的要因による記録処理期間ｔｒの増大により、ｔｐ期間での前記ディスク状記録媒体よりのデータ再生量が、t期間連続出力する映像信号及び音声信号の容量に達しなかった場合、再生音声がミュートされるよう再生データを処理することを特徴とする、請求項１０記載のディジタル映像信号または音声信号の記録再生方法。
【請求項１８】
前記記録再生を間欠的に切り換える切換信号を生成する手段は、
一定周期ｔ（ｔ；実数）を記録期間ｔｒ（ｔｒ；実数）と再生期間ｔｐ（ｔｐ＝ｔ−ｔｒ）に分割し、
ｔｒ期間は記録用回転制御手段により回転制御を行い、
ｔｐ期間は再生用回転速度保持手段によりｔｒ期間最後の回転速度を保持しつづけ、
前記記録手段の前記記録媒体に対する記録伝送レートｆｒ（ｆｒ；実数）は一定でありかつ、下記の式を満たすことを特徴とする請求項１記載のディジタル映像信号または音声信号記録再生装置。
［時間ｔの間に前記入力手段から入力される信号の総量］≦［ｆｒ＊ｔｒ］
［時間ｔの映像及び音声再生のため、前記出力手段から出力必要な信号の量］≦［ｆｒ＊ｔｐ］＊［ｒin／ｒout］
ｒout；実数，前記記録媒体の記録エリア最外周の半径
ｒin；実数，前記記録媒体の記録エリア最外周の半径
【請求項１９】
前記ディスク状記録媒体を回転させる回転制御手段は、
記録用回転制御手段と、
再生用回転速度保持手段を具備し、
前記記録手段の前記記録媒体に対する記録伝送レートｆｒ（ｆｒ；実数）は一定であり、
前記一時記憶手段の記憶容量Ｃａｐ（Ｃａｐ；実数）は、下記の式を満たすことを特徴とする請求項２記載のディジタル映像信号または音声信号記録再生装置。Cap≧［ｆｒ＊ｔｒ］＋［ｆｒ＊ｔｐ］＊［ｒin／ｒout］
ｒout；実数，前記記録媒体の記録エリア最外周の半径
ｒin；実数，前記記録媒体の記録エリア最外周の半径
【請求項２０】
記録再生を間欠的に切り換える切換信号を生成する処理は、
一定周期ｔ（ｔ；実数）を記録期間ｔｒ（ｔｒ；実数）と再生期間ｔｐ（ｔｐ＝ｔ−ｔｒ）に分割し、
一定周期ｔで始まる記録開始タイミングから、一定の伝送レートで記録媒体に記録開始し、ｔ間に入力されるデータ量を記録するまでをｔｒとし、
前記記録処理において前記記録媒体に対する記録伝送レートｆｒ（ｆｒ；実数）を下記の式を満たすように定めることを特徴とする請求項１０記載のディジタル映像信号または音声信号の記録再生方法。
［時間ｔの映像及び音声再生のため、前記出力手段から出力必要な信号の量］≦［ｆｒ＊ｔp］＊［ ｒin／ｒout ］
【請求項２１】
ディスク状記録媒体に、ディジタル化された映像信号もしくは音声信号の記録および再生を行う記録再生装置であって、
ディジタル化された映像信号または音声信号を連続的に入力する入力手段と、
記録再生を間欠的に切り換える切換信号を生成する手段と、
前記入力手段に入力された、前記映像信号または音声信号を時間軸圧縮する手段と
前記圧縮手段出力より記録信号を生成する記録信号生成手段と、
前記切換信号の記録指示期間、前記ディスク状記録媒体に記録信号を書き込むデータ記録手段と、
記録用回転制御手段と、記録指示期間への切換わり直後の回転速度目標値を制御目標とし回転制御を行う再生用回転制御手段を具備し、前記ディスク状記録媒体を回転制御させる回転制御手段と、
前記切換信号の再生指示期間、前記ディスク状記録媒体から信号を検出するデータ検出手段と、
前記記録信号生成手段の記録信号生成処理に従って再生処理を行う再生信号処理手段と、
前記切換信号の再生指示期間前記データ検出手段より入力された、検出データを入力とし、時間軸伸長を行う手段と、
前記時間軸伸長手段から、伸長された検出データを連続的に出力する手段とを具備してなるディジタル映像信号または音声信号の記録再生装置。
【請求項２２】
光学的に情報を記録できる光ディスクに対し、ディジタルデータの記録または再生をする記録再生手段と、
前記光ディスクを回転駆動させる駆動手段と、
所定の回転数が得られるように前記駆動手段を制御する回転制御手段と、
前記記録再生手段の記録再生処理を制御する記録再生制御手段と、
からなる光ディスク装置において、
前記記録再生手段は、
前記光ディスクへ記録するディジタルデータの時間軸を圧縮する時間軸圧縮手段と、
前記光ディスクから再生したディジタルデータの時間軸を伸張する時間軸伸張手段と、
を具備することを特徴とする光ディスク装置。
【請求項２３】
請求項２２に記載の光ディスク装置において、
前記記録再生手段は、
前記記録すべきディジタルデータまたは再生すべきディジタルデータを一時的に保持するメモリ手段を含むことを特徴とする光ディスク装置。
【請求項２４】
請求項２２または２３に記載の光ディスク装置において、
前記記録再生制御手段は、
前記ディジタルデータを光ディスクへ記録しうる記録期間ｔｒと、
前記ディジタルデータを光ディスクから再生しうる再生期間ｔｐと、
を所定時間ｔ（ｔ＝ｔｒ＋ｔｐ）間隔で繰り返すよう前記記録再生手段を制御することを特徴とする光ディスク装置。
【請求項２５】
請求項２４に記載の光ディスク装置において、
前記記録期間の光ディスクは、当該記録期間内における記録箇所での線速度が一定となるように駆動されており、
前記再生期間の光ディスクは、角速度が一定になるように駆動されており、該一定の角速度とは、直前の記録期間終了時と同一の角速度、または直後の記録期間開始時と同一の角速度であることを特徴とする光ディスク装置。
【請求項２６】
請求項２４に記載の光ディスク装置において、
前記所定時間ｔの間に入力されたディジタルデータのデータ量と等しい量のディジタルデータの記録を記録期間ｔｒ内に行い、
前記所定時間ｔの間に出力すべきディジタルデータのデータ量と等しい量のディジタルデータの再生を再生期間ｔｐ内に行う
ことを特徴とする光ディスク装置。
【請求項２７】
請求項２４に記載の光ディスク装置において、
さらに、実行動作モードを設定できるモード設定手段を具備しており、
該モード設定手段で設定されたモードが、記録のみをすべき記録モードであるときには、
前記再生期間ｔｐでの再生処理を休止し、
前記モード設定手段で設定されたモードが、再生のみをすべき再生モードであるときには、
前記記録期間ｔｒでの記録処理を休止する
ことを特徴とする光ディスク装置。
【発明の詳細な説明】
【技術分野】
【０００１】
本発明は、ＴＶ放送等の映像信号及び音声信号のディジタル記録再生装置に関するものであり、特にタイムシフト機能に関する。
【背景技術】
【０００２】
ＴＶ放送等を記録再生する従来技術としては、ＶＴＲが挙げられる。テープ媒体は映像及び音声の低コスト媒体として挙げられるが、構造的にランダムアクセスに不適との特徴を持つ。
また、下記特許文献１及び２の技術が知られている。
【特許文献１】特開平６−２９０５３８号公報
【特許文献２】特開平７−１１１６２９号公報
【発明の開示】
【発明が解決しようとする課題】
【０００３】
ＶＴＲによって記録した番組を再生するためには、番組の先頭までテープを巻き戻す必要があった。従って、番組を記録しながら、同時に記録済の映像情報を再生することは困難で、ユーザーがタイマーを用いて記録開始した番組は、番組の最後まで記録が終了するまで待たなくては、番組の頭から見ることはできないという問題点が有った。
【０００４】
また、ランダムアクセス性でテープに対し優位に立つ光ディスクでは、特許文献１記載の技術のように記録密度で最適なＣＬＶ方式で記録し、再生時はアクセス性能に勝るＣＡＶ方式を取る方法がある。しかしながら、記録と再生が交互に繰り返されるシステムにおいて、それぞれの目標回転数の関係をどのように設定すべきかについては考慮されていない。
【０００５】
更に、特許文献２記載の技術では、ディスク状記録媒体を用いタイムシフトを実現する技術について記載されているが、２個のピックアップを用いて行うことを前提とし、回転制御の方法については記載が無かった。
【課題を解決するための手段】
【０００６】
上記問題点は、ディジタル化された入力及び出力信号の一時記憶手段を備え、ランダムアクセスが可能な、らせん状もしくは同心円上の記録トラックを持ったディスク上の記録媒体に対し、一定周期ｔ（ｔ；実数）を記録期間ｔｒ（ｔｒ；実数）と再生期間ｔｐ（ｔｐ＝ｔ−ｔｒ）に分割し、一定周期ｔで始まる記録開始タイミングから、一定の伝送レートで記録媒体に記録開始し、ｔ間に入力されるデータ量を記録するまでをｔｒとし、前記の一時記憶手段から入力信号を読み出してｔｒ期間、媒体に記録する手段、ｔｆ期間、媒体から再生し前記の一時記憶手段に書き込む手段、ディジタル化された入力及び出力信号の一時記憶手段を備え、記録手段と再生手段を交互に間欠的に動作させることで異なる位置に対して記録と再生を同時に行なうことが可能となる。従って、ユーザーは番組の記録終了を待たずに番組の先頭から即座に再生を開始することができ、放送のタイムシフトを容易に実現する。
【０００７】
上記一時記憶手段は、記録用データバッファエリアと再生用バッファエリアをもつが、上記の交互の間欠動作のうち記録を行なっている際にディスクの欠陥等によって記録に失敗した場合は、再生に切り換えずに、再度続けて書き込みを行なう。これにより、記録処理と再生処理が共に遅れることになるため、上記のバッファエリアは不足することになるが、この時再生用バッファエリアの一部もしくは全部を記録用バッファエリアに置き換えて記録用バッファは不足しないようにする。これにより、ディスクの欠陥等の問題があった場合も、記録を優先され信号の再生が途切れることは有っても、ディスクへの記録を失敗することはない。
【０００８】
また、ディスクへの記録時は、一定のレートでディスクモータをＣＬＶ制御し、再生への切り換え時は回転速をホールドし、再生期間中変化する再生レートに合わせて可変速再生しすることで、再生から記録に切り換わった場合、目標回転数に保持されているためＣＬＶ制御が速やかに安定する。従って、１個の光ピックアップでも、記録処理を安定させたうえで、記録と再生の間欠処理を実現できる。
【０００９】
また、内周から外周に向かって記録するように規格化されているディスクにおいて、上記の記録再生の間欠実行は、ディスクを同心円状の複数のゾーンに分割し、各ゾーン内では内周から外周に、ゾーン間では外周のゾーンから内周のゾーンに向かって記録及び再生を行うことで、現在記録中の位置に対し、記録済の部分の再生を行う位置はより内周側になる。従って、固定の記録伝送レートに対し、可変の再生レートは常に記録レートより高くなるため、記録側のレートをディジタル化された映像信号及び音声信号が入力される伝送レートの略２倍以上にすれば、入力信号の媒体への記録と媒体の任意の場所から読み出す信号からの映像および音声の再生を同時に実行できる。
【発明の効果】
【００１０】
本発明によれば、入力される信号の記録と、同じ媒体から再生される信号の出力を同時に行える。また、記録時は記録制御方式に従った、回転速度制御を行い、再生時は記録から再生に切り換わる時の回転速を保持するため、記録に切り換わった時は、目標回転速度に保持されているため即座に引込みが可能であり、安定した回転制御を実現し、信頼性の高い書き込みを実現する。
【発明を実施するための最良の形態】
【００１１】
本発明の第１の実施例を図面を用いて説明する。
【００１２】
図１は、本発明による記録再生方法の動作を示したタイムチャートであり、図２は記録再生方法のフローチャートである。
【００１３】
以下、図１，２に従って、DVD-RW,DVD-RAM,CD-RW等のディスク状記録媒体において、TV番組等のプログラムを記録しながら、記録済のプログラムを同時に再生する方法について説明する。
【００１４】
図１の記録信号入力ａは装置に入力されるディジタル化された映像信号及び音声信号であって、ＴＶ番組等のプログラムである。（但し、入力は映像信号もしくは音声信号の何れか一方のみでも良い）再生信号出力ｂは、既に記録された上記のディジタル化された映像信号及び音声信号であって、記録信号入力ａの信号の媒体への記録と、媒体からの再生信号出力ｂからの映像及び音声再生が同時に実現されることで、ＴＶ番組等のタイムシフトが実現される。
【００１５】
記録再生装置に入力される記録信号入力ａは、期間Ａ，Ｂ，Ｃ，・・・，Ｘ，Ｙ，Ｚ，ＡＡ，ＡＢ，と一定の時間間隔ｔ（ｔ；実数）で分割される。図上では期間Ｘ，Ｙ，Ｚ，ＡＡの入力信号が処理されている範囲を示している。再生信号出力ｂは同時に装置より出力される映像及び音声信号を示す。記録再生ｃは各期間の媒体への記録動作、媒体からの再生動作を示す。期間Ｘの記録信号入力は、ＲＡＭ等のバッファ手段を用いる事でｔからｔｒ(tr;実数）まで時間軸圧縮を行い期間Ｘ記録の範囲で媒体への書き込みを行う。時間ｔの残りの期間Ａ再生の範囲(tp；t-tr)で媒体からの信号読み出しを行う。期間Ａ再生の範囲で読み出された信号は、ＲＡＭ等のバッファ手段を用い時間軸伸長を行い時間ｔの間の映像信号及び再生信号を得る。このように一定時間ｔを記録期間と再生期間に分割して媒体への処理を切り換える事で、番組プログラムの記録とプログラムの別の部分の再生を同時に行うことができる。
【００１６】
この時のディスクへの記録再生制御について説明する。回転速度ｄはディスクの回転速度を示しており、ｅはディスクへの信号の書き込み及び読み取りを行うピックアップの位置を示し、ｆは媒体に対し読み書きする信号の伝送レートを示す。本実施例では内周から外周に向かってらせん状のトラックを持つディスクに対し、一定の伝送レートの信号を線速度一定で書き込む（ＣＬＶ制御）様に規定されたディスクを対象とする。そのため、回転速度はディスクに対し記録を行う期間100d1,d3,d5はＣＬＶ制御を行う。従って100d1,d3.d5の期間は時間の経過と共にピック位置が外周に進むに連れて、半径に反比例して回転速度は低下する。再生期間100d2では、記録期間100d1の最後の回転速度が保持されつづける。そのため再び記録期間100d3を開始する時の目標回転速度と一致するため、記録期間100d3の回転制御は速やかに安定する。同様に再生期間100d4、d6では回転速度が
直前の記録動作の回転速度を保持するので、記録期間の回転速度は速やかに安定する。またピックの位置は記録期間100e1の範囲内で徐々に外周側に移動した後、既に記録済のデータをアクセスするために内周側に移動して100e2の期間再生
を行った後、再び外周側に移動し100e1の続きを100e3の期間で記録する。このようなピックの移動と回転速度の制御が行われるため、100f1,f3,f5に示されるよ
うに一定の伝送レートで媒体に書き込まれた信号は、ＣＬＶ記録されたディスクをＣＡＶ再生することになり、再生時にはピックアップの半径方向の位置に比例して伝送レートが変化する。ディスクから再生された信号に対しては、伝送レートの変化に合わせて復調、誤り訂正等の信号処理を行い、ＲＡＭ等のバッファ手段に記録し、一定のレートで読み出し時間軸伸長を行い再生信号出力ｂを得る。
【００１７】
図１によって説明した記録方法につき、図２のフローチャートを用い更に説明する。
【００１８】
まず、ユーザーによって指定された開始位置に従って、ディスクにアクセスし（２０１）、ユーザーからの処理終了の指示が無ければ（２１３）、ＣＬＶ回転制御２０２を行い、ディスクへのデータの書き込みを行う（２０３）、図１の時間ｔに対応する入力に対する媒体の書き込みが終了してなければ（２０４）、（２０２）（２０３）の処理を繰り返す。媒体の書き込みが終了していれば（２０４）、記録と同時に読み出しを行う様にユーザーから要求されているかを判定し（２０５）、同時読み出しの要求が出ていなければ、（２０２）（２０３）（２０４）の処理が繰り返される。一方同時読み出しの要求が出ていれば、まず書き込みを終了させる位置を一時記憶装置に蓄え（２０６）、回転速度は書き込み終了する位置の回転速度を保持し、書き込みを停止する（２０７）。次に、ユーザーから処理終了の指示が無ければ（２１４）、プログラムのなかで、既に記録された部分のどこから映像及び音声を再生させたいかのユーザーよりの要求に従って、ディスク上の目的のデータの記録されている位置を割り出し、目的の位置にアクセスする（２０８）。媒体上の目的箇所からデータの読み取りを行い（２０９）図１の時間ｔに対応する入力に対する媒体の書き込みが終了してなければ（２１０）、（２０９）の処理が繰り返される。即ち、書き込みを停止した時点の回転速度を維持した状態で、媒体からのデータの読み出しが続けられることになる。そのためこの間の再生信号の伝送レートは図１−１００ｆ２，ｆ４，ｆ６に示されるようにピックアップの位置の半径ｒに比例して変化する。規定量のデータを媒体から読み出し終わったら（２１０）、読み出しのユーザー指定位置を読み出しを停止した位置に更新する（２１１）。この操作により、次に読み出しを行う時に、続きのデータを読み出せる。その後２０６の処理にて記憶した、媒体に対する記録処理と再生処理の合計時間がｔに達するまで（２１５）、媒体への記録を停止した位置にアクセスを繰り返し（２１２）、時間ｔに達すると２０２，２０３と続く記録処理に戻る。こうして時間ｔ内で記録と再生が媒体に対して行われる。ユーザーから記録もしくは再生、記録再生両方の終了を要求された場合は、記録中では２１３で判断を行いそのうち、記録再生両方の終了ならば処理を終了（２１３ａ）し、記録のみの終了ならば２０７よりの再生処理を行う（２１３ｂ）。同様に再生中では、２１４で判断を行いそのうち、記録再生両方の終了ならば処理を終了（２１４ａ）し、再生のみの終了ならば２１２からの記録処理を行う（２１４ｂ）。
【００１９】
こうして、本実施例では、時間t毎に分割し、時間ｔ毎に時間ｔで入力される信号の記録と、時間tで出力される信号の再生を切り換えながら行われる。また記録時は一定の伝送レートで回転速度はＣＬＶ制御を行い、再生時は記録から再生に切り換わる時の回転速を保持するため、再生から記録に切り換わった時にもＣＬＶの目標回転速度に保持されているため即座に引込みが可能であり、安定した回転制御を実現し、信頼性の高い書き込みを実現する。また線速度一定、伝送レート一定のため特に相変化型ディスクでの実現に好適となる。従って、媒体に対してＴＶ番組などの現在入力される信号を記録しながら、既に記録した部分の同時再生が実現でき、ＴＶ番組などに対するタイムシフト機能を実現する。
【００２０】
次に、本発明の第２の実施例を図３を用いて説明する。
【００２１】
図３は、本発明による記録再生方法の動作を示したタイムチャートである。図１では、TV番組等のプログラムを記録しながら、記録済のプログラムを同時に再生する方法を示したが、図１の動作を実現する装置において、記録のみを行う場合を含んだ動作を示している。図１において期間Ａの再生を行っていた間は記録だけを行っている状態を示している。この間、回転速度は１００ｄ２と同様に回転速を保持する（２００ｄ２）。ピックの位置は現状を維持するためにトラックジャンプを行いポーズ動作を続ける（２００ｅ２）。再生動作は停止するため１００ｆ１に対応する２００ｆ１は示されていない。このように制御することで、記録再生を同時に行うことを前提とする装置で記録のみを行う事が容易に可能である。同様に、記録再生を同時に行うことを前提とする装置で再生のみを行うことも容易に可能である。
【００２２】
なお、記録のみの動作は図２においては、２１４→２１２→２１５→２１３→２０２→２０３→２０４→２０５→２１６→２１３のパスで実現される。再生のみの動作は、２１３→２０７→２０８→２１４→２０９→２１０→２１１→２１２→２１５→２１３のパスで実現される。
【００２３】
次に、本発明の第３の実施例を図４を用いて説明する。
【００２４】
図４は、本発明による記録再生装置のブロック図である。図４において４１３はＴＶ放送を受信するためのチューナーであり、４１４は入力された映像信号もしくは音声信号をディジタル化すると共に、ＭＰＥＧなどに代表される圧縮処理を行うエンコーダであり、エンコードされたディジタル信号はバッファＲＡＭライト制御手段４１５を介してバッファＲＡＭ４０９に書き込まれる。バッファＲＡＭに書き込まれたデータは、バッファＲＡＭライト制御手段４１６を介して訂正符号付加回路４１７に送られ誤り訂正符号の付加を行われた後、変調回路４１８において変調処理され、レーザー４０２によって光信号に変換されディスク４０１に書き込まれる。この時ディスク４０１はディスクモータ４０５によって回転させられている。４０３はディスクから光信号を検出し電気信号に変換する光ピックアップ、４０４はプリアンプ、４２０はＣＤ−Ｒ，ＤＶＤ−ＲＡＭなどの記録媒体においてウォブリングされた記録トラックから、ウォブル成分を検出するウォブル検出手段であり、検出されたウォブル成分が線速度の検出情報となる。４２１は目標とする線速度を与えるリファレンス生成回路であり、比較回路４２２は４２１からのリファレンスと４２０からの検出信号のどちらが速いかを算出する。回転制御回路４２３は、検出信号の方が遅ければディスクモータ４０１を加速し、リファレンスの方が遅ければディスクモータ４０１を減速し、リファレンスに線速度が等しくなるように制御される。一方ディスク４０１からの再生信号は復調回路４０５で復調処理がされ、更に４１７で付加された誤り訂正符号に従って訂正処理回路４０６で誤り訂正処理を行った後、バッファＲＡＭライト制御手段４０７を介してバッファＲＡＭ４０９に書き込まれる。バッファＲＡＭに書き込まれた信号はバッファＲＡＭリード手段４１０を介して映像／音声デコーダ４１１に入力される。映像／音声デコーダ４１１では映像／音声エンコーダ４１４での圧縮ルールに従って伸長処理を行うと共にアナログ信号に変換されモニタ及びスピーカー４１２へ送られる。４２７はモード切換手段であり、記録再生同時、記録、再生、停止の各モードを記録再生切換信号発生回路４２５に送る。タイミング発生回路４２６は時間t周期の信号を発生する。記録再生切換信号発生回路４２５では記録再生同時モードでは、ｔ周期を記録期間ｔｒと再生期間ｔｐに分割した切換信号を発生する。時間ｔに入力された４１５からの入力信号を時間ｔｒで記録でき、映像及び音声信号を再生するために時間ｔ当たり４１０から出力するデータを時間ｔｐの間に再生することが十分に可能である伝送レートに合わせてバッファＲＡＭリード制御手段４１６の読み出しレートを選定した上で、ｔｒの期間は４１６、４１７，４１８からなる記録系処理手段を有効にし、４２２，４２３からなる回転制御系４２４をアクティブにし、レーザー４０２を記録モードにし、ｔｐの期間はｔｒ期間の最後の回転速度を保持し、４０５，４０６，４０７からなる再生系手段４０８をアクティブにすると共にレーザー４０２を再生モードに切り換える。ディスク４０２から再生される信号はＣＬＶ制御で記録された信号がＣＡＶ制御されることになるため、入力される信号の��送レートは変化するが、再生系手段４０８は入力伝送レートに合わせて処理を行う。こうして媒体に対してＴＶ番組などの現在入力される信号を記録しながら、既に記録した部分の同時再生が実現でき、ＴＶ番組などに対するタイムシフト機能を実現する。なお、本実施例では、チューナーから入力された映像信号及び音声信号に対しディジタル化と圧縮処理を行っているが、これらの処理はチューナー側で行っても構わないし、放送波自身がディジタル圧縮処理まで施された信号である場合も有る。
【００２５】
次に、本発明の第４の実施例を図５を用いて説明する。
【００２６】
図５は、本発明による記録再生装置のブロック図である。図５はリードバイトカウンタ５０１、リード終了信号５０２、記録再生切換信号発生回路５０３以外は図４と同じ構成である。リードバイトカウンタ５０１は、バッファＲＡＭリード制御手段４１６が読み出すバイト数を、ｔ周期の先頭タイミングを起点としてカウントし、ｔ時間当たりバッファＲＡＭライト制御手段４１５を介してバッファＲＡＭに書き込まれるバイト数に達する毎にリード終了パルス５０２を発行する。記録再生切換信号発生回路５０３はタイミング発生回路４２６からのｔ周期先頭からリード終了パルス５０２発生までを記録期間ｔｒとし、残りを再生期間ｔｐに分割した切換信号を発生する。従って、ディスク上の欠陥によって、他の場所に書き込む必要が生じた場合などで、予め算出したｔｒで記録が終了しなくても、記録は途切れること無く実行することができる。ｔｐ期間が足りなくなった場合は、前フレームの映像を保持することによって再生データの欠落を補う事ができる。また、音声信号に対してはミュートをすることによって異音の発生を防ぐことができる。また、媒体より信号の再生は音声信号優先し、音声信号に比較して容量の大きい映像信号の一部は欠けるようにし、映像信号は前フレームの映像を保持することで、音声信号は途切れずに再生でき、短期間の映像信号保持だけで済むため、ｔｐ期間が足りなくなっても、視聴者に不自然さを感じさせずに再生が可能となる。
【００２７】
以上、本実施例によれば、媒体に欠陥が有っても記録を途切れさせることが無く、記録済のデータの任意の箇所を記録中に読み出すことができる。
【００２８】
次に、本発明の第５の実施例を図６、図７、図８を用いて説明する。  図６は、本発明による記録再生方法の動作を示したタイムチャートであり、図７は本発明による記録再生方法により記録再生を行うディスクを示した図であり、図８は記録再生方法のフローチャートである。本実施例では、内周から外周に向かってらせん状のトラックが構成されており、通常は内周から外周に向かって記録再生を行うディスクを図７ａに示す様に複数のゾーンに分割する。図７ｂに示す様に１つのゾーンは複数のトラックから構成されている。図７ａでは全体をゾーン１からゾーン１０の１０個のゾーンに分割されている。図７のディスクを前提に図６の動作の説明を行う。
【００２９】
記録再生装置に入力される記録信号入力ａ、及び同時に装置より出力される映像及び音声信号再生信号出力ｂ、各期間の媒体への記録動作、媒体からの再生動作ｃは図１と同一である。記録信号入力に対する、時間軸圧縮処理、媒体から読み出された信号に対する時間軸伸長処理が図１と同様に行われる。こうして一定時間ｔを記録期間と再生期間に分割して媒体への処理を切り換える事で、番組プログラムの記録とプログラムの別の部分の再生を同時に行うことができる。
【００３０】
この時のディスクへの記録再生制御について説明する。回転速度ｄはディスクの回転速度を示しており、ｅはディスクへの信号の書き込み及び読み取りを行うピックアップの位置を示し、ｆは媒体に対し読み書きする信号の伝送レートを示す。図１と同様に、期間600d1,d3,d5はＣＬＶ制御を行い、再生期間600d2では、記録期間600d1の最後の回転速度が保持されつづける。ピックの位置制御は図1の動作とは異なる点が有る。記録は一番外側のゾーン１０よりスタートされ、順次内側のゾーンに記録が続けられる。図６ではゾーン３，２に記録が行われているところを示している。従って、ピックの位置はゾーン３内の、記録期間600e1,600e3の範囲内では徐々に外周側に移動するが、ゾーン３に対する記録が終了すると内周側のゾーン２に移動する。従って、既に記録済のデータを再生のためアクセスしようとすると必ず同じゾーンかより外周のゾーンにアクセスすることになる。図６ではゾーン３の記録期間６００ｅ１の記録が終了した後はより外側のゾーン１０の６００ｅ２にアクセスすることになる。従って、600f1,f3,f5に示されるように一定の伝送レートで媒体に書き込まれた信号は、記録時にＣＬＶ制御されたディスクを回転速度を保持したまま、より外周側をＣＡＶ再生することになり、ディスクから再生された信号は、位置によって伝送レートが変化するが、記録時の伝送レートより必ず高くなる。再生系は、記録に比して高伝送レートの処理が比較的容易なため、記録時間ｔｒと再生時間ｔｐをｔの範囲内に治めることが容易となる。また、ゾーン間の移動時のみ外周から内周にアクセスし、ゾーン内ではらせん状のトラックに沿って内周から外周に順次、記録及び再生を行うため、ＣＤ−ＲＷのような、内周から外周に向かって記録再生を行う機器を用いて容易に構成することができるし、本実施例による装置で、内周から外周に向かって記録再生を行う既存のディスクの記録再生も可能とするのが容易となる。また、ＣＤ−ＲＷ等の既存のディスクを用いて本発明の記録再生装置を構成すると、本発明による記録再生装置で記録したディスクは、既存のＣＤ−ＲＷドライブでもゾーンごとの不連続点でアクセスを行うだけなので、再生が可能となる。
【００３１】
図６，７によって説明した記録方法につき、図８のフローチャートを用い更に説明する。
【００３２】
図８のフローチャートは基本的には図２と同じであり、８０１、８０２、８０３、８０４の処理が追加された点が異なる。８０１は記録時にピックが現在記録中のゾーンＮｏ．ｎの終了点に達したか判定する処理であり、ゾーンＮｏ．ｎの終了点に達していなければ、２１３，２０２，２０３，２０４，２０５の各処理が繰り返される。ゾーンＮｏ．ｎの終了点に達すると一つ内側のゾーンであるゾーンＮｏ．ｎ−１へのアクセスを行う。一方、８０３は再生時にピックが現在再生中のゾーンＮｏ．ｍの終了点に達したか判定する処理であり、ゾーンＮｏ．ｍの終了点に達していなければ、２０９，２１０の再生の各処理が繰り返される。
【００３３】
次に本発明の第６の実施例を図９を用いて説明する。図９は、内周から外周に向かってらせん状のトラックが構成されており、通常は内周から外周に向かって記録再生を行うディスクであって、図７ａに示す様に最内周のゾーン１から最外周のゾーン１０までの複数のゾーンに分割され、ゾーン内は一定回転速度で記録するＣＡＶ制御を行い、各ゾーンの回転速度は半径方向に反比例させて外周程回転速度を下げるゾーンＣＬＶ記録を行うディスクに対して、本発明を適用した場合のタイムチャートを示している。本タイムチャートのａ，ｄ，ｃ，ｅは図６と共通である。従って、本実施例においても、各ゾーン内は内周から外周に向かって記録再生を行い、ゾーン単位では外周から内周に向かって記録再生を行う。また回転速度は記録時はゾーンＣＬＶ方式を取り、再生時は記録から再生に切り換わる直前の回転速度を保持するため記録処理が同一ゾーン内に対して行われている間は一定の回転速度となる。伝送レートｆに関しては、記録時の伝送レートはゾーンＣＬＶ制御を行っており９００ｆ１，３，５，７，９全て同一の伝送レートとなる。また再生時の伝送レートは、９００ｆ２はより内周の９００ｆ１に適した回転速度で回転速度が保持されているため、より高い伝送レートになる。また、ゾーンＣＬＶ制御で記録されているため９００ｆ２，４，６，８，１０の各期間内は一定の伝送レートとなる。但し、図９では示さなかったが、９００ｅ１，３，５，７，９の各記録期間内でゾーンが変った場合は、変った時点でゾーンに合わせた回転数に回転速度が変化し、９００ｅ２，４，６，８，１０の各期間内の再生中にゾーンが変った場合は、変った時点で再生伝送レートはステップ適に変化する。この動作を図１１に示す。図１１はタイムチャートであり、１１００ｄ３，ｅ３，ｆ３と１１００ｄ４，ｅ４，ｆ４を除いては図６のタイムチャートと共通である。１１００ｅ３に示されるように記録期間の途中でゾーン３からゾーン２に変ると、１１００d３に示されるように回転速度がゾーン２に適するように変化する。この時記録伝送レートは１１００ｆ３に示すように一定の伝送レートで書き込む。１１００ｅ４に示されるように再生期間の途中でゾーン10からゾーン９に変ると、１１００ｄ４に示されるように回転速度は保持されるため、再生信号の伝送レートは１１００ｆ４に示されるように期間の途中で変化する。このように、記録期間もしくは再生期間の途中でゾーンが変っても再生期間は、記録期間最後の回転速度即ち、記録期間先頭での回転速度目標値に保持されつづけるため、記録期間先頭での回転は迅速に安定化できる。以上、本実施例では、ゾーンＣＬＶ方式をとる媒体において、本発明を適用できることを示した。第５の実施例のように記録時にＣＬＶ方式を取る媒体では、記録箇所と再生箇所が同じゾーン内となると、再生される信号の伝送レートが記録時の伝送レートに比して、略同一ながら、低くなる点が有ったが、本実施例のゾーンＣＬＶ方式では、同一ゾーン内でも、同一伝送レートとなり、再生時の伝送レートを必ず記録時の伝送レート以上とできる。また、本実施例では、ゾーン内の回転速度を一定とできることから回転速度の制御はより容易となる。再生時の伝送レートも常時変化することが無くなるため、再生系の処理も容易となる。
【００３４】
次に、本発明の第７の実施例を図１０を用いて示す。図１０ａはディスクにＭＰＥＧ等の圧縮規格に従って符号化された、ビデオ/音声信号を記録する場合の論理フォーマットの一例を示した構成図である。図１０ｂは論理フォーマットと第５，６の実施例におけるゾーンとの関係を示す図である。図７ａにおけるインターリーブブロックは、１）複数の分岐するストーリーから一つのストーリーを選ぶ、２）ストーリーの中の一部分を飛ばす、等の処理を再生が一瞬も途切れることなく実現するために、飛ばして再生する等の単位である。即ち不連続再生を行う単位である。図１０ａではインターリーブブロック2,4,5は飛ばされ、インターリーブブロック1,3,6の順に再生することになる。図１０ｂはインターリーブブロックとゾーンの関係を示すものであり、各インターリーブブロックは分割されずに、一つのゾーンに記録される。従って、ゾーンの切れ目で再生順序に不連続が生じるとこは、必ず、論理フォーマット上で不連続が規定されている場所に一致する。
【００３５】
以上、本実施例によれば、ゾーンの切れ目による再生順序が不連続となる箇所は、ビデオ再生装置における論理フォーマットの不連続部分になるため、本発明によって記録された媒体は、既存のビデオ再生装置によっても、再生することができる。
【００３６】
次に、本発明の第８の実施例を図１２を用いて示す。図１２は本発明による記録再生方法のタイムチャートを示す。本実施例は、記録を媒体の連続した箇所にではなく、飛び飛びの場所に対して行う場合についての物である。以下説明する部分を除き図１と共通の動作を行う。以下説明を行う。記録、消去、オーバーライトを繰り返し行うと、媒体上の記録可能な箇所は連続したエリアとならない場合が有る。この場合図８に示すように記録期間１１００ｅ１の終点と続く記録期間１００ｅ３の始点が同じにならない場合が発生する。
【００３７】
この場合、記録期間１１００ｅ１と記録期間１００ｅ３の間の再生期間１１００ｅ２において、回転速度制御を１１００ｄ２に示すように１００ｄ１の終点の保持ではなく、１００ｄ３の始点の回転速度目標に等しくなるように制御している。この制御は１１００ｄ２の期間の終点で目標値で安定して回転していれば、期間中全体をかけて徐々に速度を合わせても、期間の一部を用いて速度を合わせても構わない。以上、本実施例に依れば、記録を飛び飛びの場所に対して行う場合にも、記録期間の始点では回転が安定しているので、記録を安定して行える。また、再生期間は、ワイドキャプチャＰＬＬを用いることにより、再生伝送レートが大きく変っても再生には問題は無い。
【００３８】
これらの実施例により、媒体に対してＴＶ番組などの現在入力される信号を記録しながら、既に記録した部分の同時再生が実現でき、ＴＶ番組などに対するタイムシフト機能を実現する。
【００３９】
以上の実施例では記録すべきデータ、再生すべきデータは映像データ又は音声データであるとして説明したが、本発明はこれに限られるものではなく、文字情報などのディジタルデータ配信などを記録しても良い。またこれらのデータを組み合わせて、記録再生してもよい。
【００４０】
また、上記の実施例では基本的に再生期間のディスクの回転制御は角速度一定制御であるとして説明したが、記録期間内での正常な記録、再生期間内での正常な再生が可能であるなら再生期間のディスクの回転制御は線速度一定制御であっても良い。
【図面の簡単な説明】
【００４１】
【図１】本発明の１実施例であるディジタル信号記録再生方法を示すタイミング図。
【図２】本発明の１実施例であるディジタル信号記録再生方法を示すフローチャート。
【図３】本発明の１実施例であるディジタル信号記録再生方法を示すタイミング図。
【図４】本発明の１実施例であるディジタル信号記録再生装置のブロック図。
【図５】本発明の１実施例であるディジタル信号記録再生装置のブロック図。
【図６】本発明の１実施例であるディジタル信号記録再生装置を示すタイミング図。
【図７】本発明の１実施例であるディジタル信号記録再生装置に用いるディスク形状図。
【図８】本発明の１実施例であるディジタル信号記録再生方法を示すフローチャート。
【図９】本発明の１実施例であるディジタル信号記録再生方法を示すタイミング図。
【図１０】本発明の１実施例であるディジタル信号記録再生方法を示す構成図。
【図１１】本発明の１実施例であるディジタル信号記録再生装置を示すタイミング図。
【図１２】本発明の１実施例であるディジタル信号記録再生装置を示すタイミング図。
【符号の説明】
【００４２】
４０１…記憶媒体、４０３…ピックアップ、４０４…プリアンプ、４０５…復調手段、４０６…誤り訂正手段、４０７…バッファＲＡＭリード制御手段、４０９…バッファＲＡＭ、４１６…バッファＲＡＭライト制御手段、４１７…訂正符号付加回路、４１８点変調回路、４２０…ウォブル検出手段、４２２…比較回路、４２３…回転制御回路、４２５…記録再生切換信号発生回路、４２６…タイミング発生回路。
【図１】
2006331636.tif 000003
【図２】
2006331636.tif 000004
【図３】
2006331636.tif 000005
【図４】
2006331636.tif 000006
【図５】
2006331636.tif 000007
【図６】
2006331636.tif 000008
【図７】
2006331636.tif 000009
【図８】
2006331636.tif 000010
【図９】
2006331636.tif 000011
【図１０】
2006331636.tif 000012
【図１１】
2006331636.tif 000013
【図１２】
2006331636.tif 000014
【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
ディスク状記録媒体にデータの記録及び再生を交互に行う記録再生方法であって、
記録動作中に、前記ディスク状記録媒体の記録制御方式に従って前記ディスク状記録媒体の回転速度を制御する記録再生方法。
【請求項２】
再生動作中に、直前の記録動作時の回転速度から次回の記録動作時の回転速度に変更し、ディスク半径方向の再生位置に比例して変化する伝送レートの変化に合わせて、前記ディスク状記録媒体から読み出された信号を復調し、時間軸伸張して前記データを再生する請求項１に記載の記録再生方法。
【請求項３】
前記ディスク状記録媒体は、ＤＶＤ−ＲＷ、ＤＶＤ−ＲＡＭ及びＣＤ−ＲＷのいずれかである請求項１又は２に記載の記録再生方法。
【請求項４】
ディスク状記録媒体にデータの記録と再生を行う記録再生装置であって、
前記データを連続的に入力する入力手段と、
前記データの記録動作と再生動作とを切り換えるための切換信号を生成する切換信号生成手段と、
前記ディスク状記録媒体の回転速度を制御する回転制御手段と、
前記ディスク状記録媒体にレーザ光を照射して、前記ディスク状記録媒体への前記データの記録と、前記ディスク状記録媒体に記録されているデータの再生とを行う光ピックアップとを有し、
前記回転制御手段は、記録動作中は、前記ディスク状記録媒体の記録制御方式に従って前記ディスク状記録媒体の回転速度の制御を行い、再生動作中は、直前の記録動作時の回転速度に保持されるか、又は、次回の記録動作時の回転速度に変更されるように、前記ディスク状記録媒体の回転速度の制御を行う記録再生装置。
【請求項５】
再生動作中に、直前の記録動作時の回転速度から次回の記録動作時の回転速度に変更し、ディスク半径方向の再生位置に比例して変化する伝送レートの変化に合わせて、前記ディスク状記録媒体から読み出された信号を復調し、時間軸伸張して前記データを再生する請求項４に記載の記録再生装置。
【手続補正３】
【補正対象書類名】明細書
【補正対象項目名】０００６
【補正方法】変更
【補正の内容】
【０００６】
本発明の記録再生方法では、記録動作中に、前記ディスク状記録媒体の記録制御方式に従って前記ディスク状記録媒体の回転速度を制御する。そして、再生動作中に、直前の記録動作時の回転速度から次回の記録動作時の回転速度に変更し、ディスク半径方向の再生位置に比例して変化する伝送レートの変化に合わせて、前記ディスク状記録媒体から読み出された信号を復調し、時間軸伸張して前記データを再生する。
【手続補正４】
【補正対象書類名】明細書
【補正対象項目名】０００７
【補正方法】変更
【補正の内容】
【０００７】
本発明の記録再生方法において、ディスク状記録媒体は、ＤＶＤ−ＲＷ、ＤＶＤ−ＲＡＭ及びＣＤ−ＲＷのいずれかを用いることができる。
【手続補正５】
【補正対象書類名】明細書
【補正対象項目名】０００８
【補正方法】変更
【補正の内容】
【０００８】
本発明の記録再生装置は、データを連続的に入力する入力手段と、データの記録動作と再生動作とを切り換えるための切換信号を生成する切換信号生成手段と、ディスク状記録媒体の回転速度を制御する回転制御手段と、光ピックアップとを有する。回転制御手段は、記録動作中は、ディスク状記録媒体の記録制御方式に従ってディスク状記録媒体の回転速度の制御を行う。また、再生動作中は、直前の記録動作時の回転速度に保持されるか、又は、次回の記録動作時の回転速度に変更されるように、ディスク状記録媒体の回転速度の制御を行う。
【手続補正６】
【補正対象書類名】明細書
【補正対象項目名】０００９
【補正方法】変更
【補正の内容】
【０００９】
また、記録再生装置は、再生動作中に、直前の記録動作時の回転速度から次回の記録動作時の回転速度に変更し、ディスク半径方向の再生位置に比例して変化する伝送レートの変化に合わせて、前記ディスク状記録媒体から読み出された信号を復調し、時間軸伸張して前記データを再生するのがよい。
【手続補正７】
【補正対象書類名】明細書
【補正対象項目名】００１０
【補正方法】変更
【補正の内容】
【００１０】
本発明によれば、入力される信号の記録と、同じ媒体から再生される信号の出力を同時に行える。